(57)【要約】【課題】  納入企業のリスクおよび  運用を可視化し、リスクを最小限に抑えることを可能とするＶＭＩ倉庫方式（相手先在庫管理運用方式）を提供することが、本発明の課題である。【解決手段】  納入企業と購入者との間において、商品取引情報を管する情報共有サーバと納入企業との制約条件を定義してシミュレーションを可能にしたシステムを連携させることにより、納入企業の導入負担を最小限に抑えＶＭＩ倉庫方式を採用し、適用の拡大をしていく。【選択図】  図１
2012053720.tif 000002
【特許請求の範囲】
【請求項１】
商品の売り手の利用するVender装置と、買い手が利用する依頼元装置と、情報共有サーバが互いに接続されたシミュレーション機能を利用した相手先在庫管理運用システムにおいて、
前記情報共有サーバは、
前記売り手と前記買い手が前記商品について、ＶＭＩ契約する際に、前記商品に関する市場価格情報を、Vender装置と、前記依頼元装置に提示し、
前記商品に関する過去の契約取引実績から対応した契約条件、納期遵守率を提示し、生産計画から展開されたForecast情報を用いて、契約の見直し及び、新規契約内容のシミュレーションを実行することを特徴とした相手先在庫管理運用システム。
【発明の詳細な説明】
【技術分野】
【０００１】
本発明は、商品の売り手側の導入、運用負担を最小限にしＶＭＩの実施を可能にするシミュレーション機能方法およびプログラムに関する。
【背景技術】
【０００２】
現在、商品などの物の流れ（流通、倉庫内での管理など）の効率化は、トータルＳＣＭ等高度な情報技術に支えられている。例えば、トータルＳＣＭの導入によりその効率化は納期の短縮や在庫の削減といった様々なメリットをもたらしている。その中でも、商品の取引に関して、商品の在庫管理を売り手側が行うＶＭＩ（Vender Managed Inventory）の導入が広まってきている。ＶＭＩでは、買い手側に納入しても在庫管理を売り手側で行い、買い手側で使用する数だけを出庫（払い出し）をして、支払いを実施している。このことに関する従来技術として、特許文献１がある。
【先行技術文献】
【特許文献】
【０００３】
【特許文献１】特開2007-34432号公報
【発明の概要】
【発明が解決しようとする課題】
【０００４】
上述のＶＭＩを導入する場合に売り手側の導入準備、運用時の計画変動に対する対応および、条件変更時の管理等に手間がかかる為、導入するのに障害となる事が発生していた。今回の発明により、買い手側の状況および環境に応じてシミュレーション機能を使用することにより、ＶＭＩ導入の際に発生する条件の整備対応および運用時の計画変動に伴う対応が容易に確認できる事になり、導入拡大につながる。
【０００５】
また、納入企業（売り手）が契約、契約更新の際に必要な情報および過去実績データを提供しシミュレーションできることにより納入企業のリスクとなる事を事前に確認できる。また、計画変動の際に対応した運用の負担を明確（可視化）にし、この負担をできるだけ抑えてＭＩ倉庫方式の導入を促進することが本発明の課題である。
【課題を解決するための手段】
【０００６】
上記の課題を解決するために、本発明では、納入企業（売り手）と購入者（買い手）との間において、新規契約、契約更新をする際に、商品に関する制約事項、実績情報等を共有できる情報共有サーバと、その情報共有サーバ上で納入企業との制約条件を定義してシミュレーションを可能にさせる事により、条件の見直し、制約の判断を自動的に実施するものである。
【発明の効果】
【０００７】
本発明によれば、納入企業（売り手）に対し、必要な条件に応じた設定に対する情報を提供することで、納入企業がシミュレーションを実施し、より適切なＶＭＩ契約、運用が可能となり、導入負担および運用負担をできるだけ抑えることが可能となり、ＶＭＩ倉庫方式の導入拡大に貢献できる。
【図面の簡単な説明】
【０００８】
【図１】本発明の一実施例のシステム関連図
【図２】本発明の一実施例のシステム構成図
【図３】本発明の一実施例のシミュレーション機能図
【図４】本発明の一実施例の関連システム情報
【発明を実施するための形態】
【０００９】
以下、本発明の一実施例を図面を用いて説明する。まず、シミュレーション機能付ＶＭＩの概要を説明する。シミュレーション機能付ＶＭＩを用いて行われる処理の流れを図１に示す。
【００１０】
図１において、取引管理業者またはVender（売り手）は依頼元（買い手）から依頼され部品を提供する。依頼元はVenderから部品を購入する。依頼元は部品を組立し、製品を販売している。
【００１１】
（１）ＶＭＩ契約において、Venderと依頼元の間で購入するための条件を契約する。ＶＭＩ契約の内容および制約内容を、１０３の制約シミュレーション機能をもつテーブルに情報を登録する。ＶＭＩ契約を結ぶ際には、対象部品を限定する場合、または限定しないで、ＶＭＩ契約を結ぶ場合がある。契約設定時のシミュレーションを図３にて説明する。今回契約の対象部品は３０１に設定する。３０２の参照品目を指定する事により、過去にVenderと依頼元が登録した制約条件を表示することができる。３０３のキーワード検索により、対象部品により近い内容を検索可能としている。３０２、３０３の指定により過去実績蓄積データベースから  納期遵守率を検索し、１００％の場合には、３０４の納入予定日数  を短くする提案をし、９０％以上の場合には、３０４の納入予定日数を現状維持を提案し、５０％以下の場合には３１１の支払条件、３０８の単価見直しを提案する。また、３１１の支払条件と３０８の単価の遷移を確認することができる。３１０の外貨の設定の場合には、輸送日数と輸送手段を納期遵守率と比較して見ることができる。また、３０５のフォーキャスト期間と３０６、３０７の制約によりフォーキャストが前週または前月から変動した際の上限値、下限値を確認できる。これにより３１２の設定値（提案値）、３１３の平均値と比較し、最終決定された数値が１０３の制約条件として登録される。設定された制約条件は、１０２の情報共有サーバに表示される。
【００１２】
（２）ＶＭＩ対象通知処理において、依頼元がＶＭＩ対象品を決定し、制約シミュレーション機能のＶＭＩ対象マスタ設定フラグを設定する事により、対象品目が限定され、ＶＭＩ対象品目になったことが判別できる。これにより、ＶＭＩ対象になった情報が１０２の情報共有サーバに登録される。Venderは１０２情報共有サーバを確認することにより、ＶＭＩ対象となった情報を確認し、ＶＭＩの制約条件を確認して、シミュレーションを実施して制約条件を作成し、１０２の情報共有サーバに登録する。Venderから登録された制約条件は、１０３の依頼元の制約条件として、図４に示す４０５のＶＭＩ対象情報に登録される。
【００１３】
（３）Forecast開示のために１０３依頼元では、製品に生産計画を入力し、下位部品に所要量を展開する事により対象品目（部品）のForecastを出力し、図４に示す４０３Forecast の各週に、所要数が記載され、１０２情報共有サーバにデータを登録する。Venderは１０２情報共有サーバに登録されたForecastを確認する。
【００１４】
（４）Venderは１０２の情報共有サーバから１０１のVenderに取り込みForecastを確認する事により、依頼元から受け取ったForecastがVenderで対応可能（生産可能）かを判断する。その判断結果を元にForecast回答情報を作成し、１０２の情報共有サーバに、図４に示す４０４のForecast回答情報を登録する。登録された情報を、１０３の依頼元の制約シミュレーションに取り込み、制約条件の範囲内で回答しているかを判別する。判別内容は図４に示す４０６の前週Forecast情報から、図３に示す３０６の制約（全体数量）、３０７の制約（期間）の上限値、下限値を算出して、制約範囲を判断し、Venderの回答が正しいか、制約違反かを判別する。
【００１５】
（５）判別した結果が、正しい場合には合議のメール連絡を、１０３の依頼元から１０１のVenderの図３に示す３１５メールアドレスに送付する。また、判定結果が制約違反をしていた場合には、制約違反内容を記載し、３１５のメールアドレスに送付し、再度Forecast回答を求める。
【００１６】
（６）Forecastの開示が終了すると、１０３依頼元から必要数を注文番号して発番し納入注番を１０１Venderに渡す。この際には、必要数は１０１の依頼元の制約条件を判断して数量と納入日を決定する。
【００１７】
（７）納入指示注番がVenderに送付されると、１０２の情報共有サーバに登録し、１０１のVenderから内容を確認することができる。Venderは、図４に示す４０７の納入指示注番情報を取り込み、登録を実施する。（８）Venderは、図４に示す４０７の納入指示注番情報から数量、納期、金額を確認し対応可能かを判断する。判断した結果を１０２の情報共有サーバに登録する。登録内容は、図４に示す４０７納入指示注番情報の回答数量、回答納期を登録する。回答登録された内容は、１０３の依頼元制約条件に取り込まれる。
【００１８】
（９）取り込まれた図４に示す４０７の納入指示注番情報の回答数量、回答納期と、図３に示す３０６制約（全体数量）３０７制約（期間）から算出された上限値、下限値を比較し、制約違反がない事を判別して、１０３の依頼元から１０１のVender 図３に示す３１５メールアドレスに結果を連絡(送信)する。判別にて制約違反が無い場合は合意回答を送信し、制約違反の場合には違反内容を記載し、再度回答をするように連絡(メールを送信)する。合意回答を受けて、１０１のVenderは、１０３の依頼元に納入する。
【００１９】
（１０）１０３の依頼元が納入を確認する。確認する際には、Venderの資産の為に外観チェック（破損等がないか確認）を実施し問題なければ受け入れ完了（合格品）または破損あり（不合格品）として、図４に示す４０８納入実績情報を作成し、納入注番、納入数量、実績納期を記載し、１０２情報共有サーバに登録する。Venderは、４０８の納入実績情報を納入した実績と比較して確認している。
【００２０】
（１１）１０１の依頼元では、製品の生産（組み立て）をするために、VenderのＶＭＩ在庫から、依頼元の在庫へ買上を実施する。買上を実施した後に生産（組み立て）の為に払い出しされる。この際実施される買上の処理結果を、図４に示す４０９の使用実績情報を作成し、１０２の情報共有サーバに登録する。Venderでは情報共有サーバを確認する事により、ＶＭＩ在庫から使用された数量、金額を把握する事ができる。
【００２１】
（１２）１０１Venderでは、ＶＭＩ在庫の数が合わない場合に棚卸し等の情報提供を、１０２情報共有サーバに依頼として登録する。登録されると、１０３の依頼元に情報提供依頼が伝送され、いつ時点のどの品目がどの様な状況か（数量）を確認した結果が登録される。（１３）登録された情報は、依頼元から１０１のVender に図３に示す３１５メールアドレスを使用して、メールにより通知される。（１４）１０３依頼元より、図４に示す４０８の納入実績情報と４０９の使用実績情報から４１０の月末実績情報を作成する。作成する際には前月の在庫から入庫数を足し算、出庫数を引き算して月末在庫数を作成する。作成された情報は１０２の情報共有サーバに登録される。登録されると（１５）により、１０３の依頼元から１０１のVenderに対して月末在庫を作成した連絡がメールにて伝送される。Venderは月末在庫を１０２の情報共有サーバを見て確認する。情報を情報共有サーバにて共有するだけでなくVenderに連絡する事で  情報のモレをなくしている。
【００２２】
次に、本実施例を実現するシステム構成（図２）の説明を行う。
Vender（売り手）（装置）側から、ＶＭＩ倉庫管理に必要な情報を検索および、定義を実施するための２０１の納入企業端末と依頼元（買い手）側からＶＭＩ契約に必要な情報を検索および、定義を実施するための２０６の購入企業端末が存在する。また、２０１納入企業端末と２０６購入企業端末の情報共有の仕組みである２０３の情報共有サーバ、および、シミュレーションの元データとなる市場の情報を提供する２０５の市場価格取込データベース、そして、過去の実績を蓄積した２０２の実績蓄積データベースを保有し、これらの情報をシミュレーションを可能とする２０４のシミュレーションサーバの構成で本システムを構築し、実現させている。なお、各装置(サーバ等)は、いわゆるコンピュータで実現され、各装置の処理は、プログラムにしたがって各装置が有するＣＰＵの如き演算装置で実行される。
【００２３】
次に、制約シミュレーション概略(図３)の説明を行う。
Vender（売り手）と依頼元（買い手）が契約を実施する際に、３０１品目（図番−品番）を指定して表示させる。または、新規契約品目として指定する。３０２参照品目（図番−品番）は、既に登録している情報を参考に表示したい場合に指定し、条件を表示させる。３０３は既に登録している情報を参考に表示したい場合にキーワード検索したい場合に指定する。指定検索すると、基本情報として市場価格取込データベースにある情報を検索し、３１４の市場参考値として表示する。また、品目コード、類別、定格、等の情報をキーとして抽出し、情報共有サーバもしくは、依頼元（買い手）側に 価格情報及びその推移等を提供する。また、新規のVender(売り手)でなければ、過去の実績として、３１６の購入実績情報を実績蓄積データベースより、品目コード、品名、類別、定格等の情報をキーとして、購入実績数量、購入実績金額、納期遵守率、輸送手段、納入予定日数、買上ロット等の情報を抽出し、情報共有サーバに３１３の御社実績値として表示させる。この２つの情報および、今後契約をする対象のForecast情報から、消費数量に対する情報の受払い（在庫と消費数量と購入予定を加算または減算）を実施し、条件に対応したシミュレーションの結果が出力され、契約通りにできる内容と契約通りに出来ない内容を確認しながら、条件設定を替えてシミュレーションを繰り返すことにより、Vender（売り手）と依頼元（買い手）が納得できる交渉ができ、短期間でのＶＭＩ倉庫方式の導入が可能となる。また、ＶＭＩ倉庫の運用についても、常にリアルタイムでシミュレーションが可能なため、Forecast回答に対する合意、および、納入指示回答に対する合意および確認が必要なときにできる。これにより、Vender(売り手)側の倉庫管理となるＶＭＩ倉庫管理における、契約にもとづいた管理を逐次にチェックしながら実施する事ができる。
【符号の説明】
【００２４】
１０１…Vender装置、１０２１…情報共有サーバ、２０３２…依頼元装置
【図１】
2012053720.tif 000003
【図２】
2012053720.tif 000004
【図３】
2012053720.tif 000005
【図４】
2012053720.tif 000006